(57)【要約】【課題】伝送システムの消費電力を低減する技術を提供する。【解決手段】ＴＤＭ回線を通じて顧客装置から送信されたＴＤＭ信号をＣＥＰパケットに変換して受信装置に送信するＣＥＰパケット送信装置において、ＴＤＭ終端部２１２は、ＴＤＭ信号を取得する。ＣＥＰパケット生成部２１４は、ＴＤＭ終端部２１２が取得したＴＤＭ信号をもとに、ＣＥＰパケットを生成する。ＣＥＰ化制御部２１６は、ＴＤＭ終端部２１２が取得したＴＤＭ信号を解析して、ＣＥＰパケット生成部２１４がパケット信号を生成するか否かを制御する。ここでＣＥＰ化制御部２１６は、ＣＥＰパケット生成部２１４にパケット信号の生成を停止させる場合、パケット信号の生成停止を前記受信装置に通知するための制御用ＣＥＰパケットをＣＥＰパケット生成部２１４に生成させる。【選択図】図４
2012182768.tif 000002
【特許請求の範囲】
【請求項１】
ＴＤＭ（Time Division Multiplexing）回線を通じて顧客装置から送信されたＴＤＭ信号をＣＥＰ（Circuit Emulation over Packet）パケットに変換して受信装置に送信するＣＥＰパケット送信装置であって、
ＴＤＭ信号を取得するＴＤＭ終端部と、
前記ＴＤＭ終端部が取得したＴＤＭ信号をもとに、ＣＥＰパケットを生成するＣＥＰパケット生成部と、
前記ＴＤＭ終端部が取得したＴＤＭ信号を解析して、前記ＣＥＰパケット生成部がパケット信号を生成するか否かを制御するＣＥＰ化制御部とを含み、
前記ＣＥＰ化制御部は、前記ＣＥＰパケット生成部にパケット信号の生成を停止させる場合、パケット信号の生成停止を前記受信装置に通知するための制御用ＣＥＰパケットを前記ＣＥＰパケット生成部に生成させることを特徴とするＣＥＰパケット送信装置。
【請求項２】
前記ＣＥＰ化制御部は、前記ＴＤＭ終端部が取得したＴＤＭ信号のフレームフォーマットの中に前記顧客装置が使用されていないことを示す信号を検出した場合、前記ＣＥＰパケット生成部に前記顧客装置が使用されていないことを示すフラグを含む制御用ＣＥＰパケットを生成させた後にＣＥＰパケットの生成を停止させ、
前記ＴＤＭ終端部が取得したＴＤＭ信号のフレームフォーマットの中に前記顧客装置が使用されていないことを示す信号が検出されなくなった場合、前記ＣＥＰパケット生成部にＣＥＰパケットの生成を再開させることを特徴とする請求項１に記載のＣＥＰパケット送信装置。
【請求項３】
前記ＣＥＰ化制御部は、前記ＴＤＭ終端部が取得したＴＤＭ信号の主信号の極性が所定の時間変動しないことを検出した場合、前記ＣＥＰパケット生成部にＴＤＭ信号の主信号の極性が変化していないことを示すフラグとその信号の極性を示すフラグとを含む制御用ＣＥＰパケットを生成させた後にＣＥＰパケットの生成を停止させ、
前記ＴＤＭ終端部が取得したＴＤＭ信号の主信号の極性が変動を開始した場合、前記ＣＥＰパケット生成部にＣＥＰパケットの生成を再開させることを特徴とする請求項１に記載のＣＥＰパケット送信装置。
【請求項４】
ＴＤＭ信号をもとに生成されたＣＥＰパケットを取得してＴＤＭ信号に変換するＣＥＰパケット受信装置であって、
ＣＥＰパケットを取得するパケット終端部と、
前記パケット終端部が取得したＣＥＰパケットをもとに、ＴＤＭ信号を生成するＴＤＭ信号生成部と、
前記パケット終端部が取得したＣＥＰパケットを解析して、前記ＴＤＭ信号生成部を制御するＴＤＭ化制御部とを含み、
前記ＴＤＭ化制御部は、前記パケット終端部が取得したＣＥＰパケットが、ＣＥＰパケットの送信が停止することを通知する制御用ＣＥＰパケットの場合、前記ＴＤＭ信号生成部に所定のＴＤＭ信号を生成させることを特徴とするＣＥＰパケット受信装置。
【請求項５】
前記ＴＤＭ化制御部は、前記パケット終端部が取得したＣＥＰパケットが、顧客装置が使用されていないことを示すフラグを含む制御用ＣＥＰパケットであることを検出した場合、前記ＴＤＭ信号生成部に所定の極性を持つＴＤＭ信号を生成させ、
前記パケット終端部が取得したＣＥＰパケットが制御用ＣＥＰパケットでなくなったことを検出した場合、前記ＴＤＭ信号生成部に前記パケット終端部が取得したＣＥＰパケットをＴＤＭ信号に変換させることを特徴とする請求項４に記載のＣＥＰパケット受信装置。
【請求項６】
前記ＴＤＭ化制御部は、前記パケット終端部が取得したＣＥＰパケットが、ＴＤＭ信号の主信号の極性が変化していないことを示すフラグとその信号の極性を示すフラグとを含む制御用ＣＥＰパケットであることを検出した場合、取得した制御用ＣＥＰパケットに含まれるフラグの極性と同じ極性を持つＴＤＭ信号を前記ＴＤＭ信号生成部に生成させ、
前記パケット終端部が取得したＣＥＰパケットが制御用ＣＥＰパケットでなくなったことを検出した場合、前記ＴＤＭ信号生成部に前記パケット終端部が取得したＣＥＰパケットをＴＤＭ信号に変換させることを特徴とする請求項４に記載のＣＥＰパケット受信装置。
【請求項７】
ＴＤＭ回線を通じて顧客装置から取得したＴＤＭ信号をもとにＣＥＰパケットを生成して送信するＣＥＰパケット送信装置と、
前記ＣＥＰパケット送信装置から取得したＣＥＰパケットをもとにＴＤＭ信号を生成するＣＥＰパケット受信装置とを含む伝送システムにおいて、
前記ＣＥＰパケット送信装置は、
取得したＴＤＭ信号をもとにＣＥＰパケットを生成するＣＥＰパケット生成部と、
取得したＴＤＭ信号を解析して、前記ＣＥＰパケット受信装置にＣＥＰパケットの送信を停止するか否かを決定するとともに、前記ＣＥＰパケット受信装置にＣＥＰパケットの送信を停止する場合、前記ＣＥＰパケット受信装置にパケット信号の生成が停止することを通知するための制御用ＣＥＰパケットを前記ＣＥＰパケット生成部に生成させるＣＥＰ化制御部とを含み、
前記ＣＥＰパケット受信装置は、
前記ＣＥＰパケット送信装置から取得したＣＥＰパケットをもとにＴＤＭ信号を生成するＴＤＭ信号生成部と、
前記ＣＥＰパケット送信装置から取得したＣＥＰパケットが、ＣＥＰパケットの送信が停止することを通知する制御用ＣＥＰパケットの場合、前記ＴＤＭ信号生成部に所定のＴＤＭ信号を生成させるように制御するＴＤＭ化制御部とを含むことを特徴とする伝送システム。
【請求項８】
前記ＣＥＰ化制御部は、取得したＴＤＭ信号のフレームフォーマットの中に前記顧客装置が使用されていないことを示す信号を検出した場合、前記ＣＥＰパケット生成部に前記顧客装置が使用されていないことを示すフラグを含む制御用ＣＥＰパケットを生成させた後にＣＥＰパケットの生成を停止させ、取得したＴＤＭ信号のフレームフォーマットの中に前記顧客装置が使用されていないことを示す信号が検出されなくなった場合、前記ＣＥＰパケット生成部にＣＥＰパケットの生成を再開させ、
前記ＴＤＭ化制御部は、取得したＣＥＰパケットが、顧客装置が使用されていないことを示すフラグを含む制御用ＣＥＰパケットであることを検出した場合、前記ＴＤＭ信号生成部に所定の極性を持つＴＤＭ信号を生成させ、取得したＣＥＰパケットが制御用ＣＥＰパケットでなくなったことを検出した場合、前記ＴＤＭ信号生成部に取得したＣＥＰパケットをＴＤＭ信号に変換させることを特徴とする請求項７に記載の伝送システム。
【請求項９】
前記ＣＥＰ化制御部は、取得したＴＤＭ信号の主信号の極性が所定の時間変動しないことを検出した場合、前記ＣＥＰパケット生成部にＴＤＭ信号の主信号の極性が変化していないことを示すフラグとその信号の極性を示すフラグとを含む制御用ＣＥＰパケットを生成させた後にＣＥＰパケットの生成を停止させ、取得したＴＤＭ信号の主信号の極性が変動を開始した場合、前記ＣＥＰパケット生成部にＣＥＰパケットの生成を再開させ、
前記ＴＤＭ化制御部は、取得したＣＥＰパケットが、ＴＤＭ信号の主信号の極性が変化していないことを示すフラグとその信号の極性を示すフラグとを含む制御用ＣＥＰパケットであることを検出した場合、取得した制御用ＣＥＰパケットに含まれるフラグの極性と同じ極性を持つＴＤＭ信号を前記ＴＤＭ信号生成部に生成させ、取得したＣＥＰパケットが制御用ＣＥＰパケットでなくなったことを検出した場合、前記ＴＤＭ信号生成部に取得したＣＥＰパケットをＴＤＭ信号に変換させることを特徴とする請求項７に記載の伝送システム。
【発明の詳細な説明】
【技術分野】
【０００１】
この発明は、ＣＥＰパケット送信装置、ＣＥＰパケット受信装置、およびＣＥＰパケット送信装置とＣＥＰパケット受信装置と含む伝送システムに関し、特に、ＴＤＭ（Time Division Multiplexing）網において伝送されたデータをＣＥＰ（Circuit Emulation over Packet）化して、パケット交換網で伝送させる技術に関する。
【背景技術】
【０００２】
現在、音声等のデータを伝送する通信回線において、時分割多重（ＴＤＭ）の技術等を用いた既存網から、イーサネット（登録商標）技術を用いたパケット交換網へ、置き換えが進められている。これは通信事業者が特定の顧客に固定的に回線を提供する専用線サービスにおいても同様である。顧客装置と顧客装置との間の全区間をパケット交換網で結ぶサービスを利用している顧客が既に存在する一方で、システムを置き換える費用の発生、信頼性に対する懸念等を理由として、パケット交換網ではない従来の方式による専用線サービスの提供を望む顧客も引き続き存在する。
【０００３】
このため、顧客装置と通信事業者間とのインタフェース条件を変更することなく、通信事業者内の区間のみの信号に対してパケット化を適用することが考えられている（例えば、非特許文献１および２を参照）。パケット交換網はその方式上の理由から、同じデータ量を既存網で伝送する場合と比較して高いビットレートで動作させる必要があり、パケット交換網を構成する装置の消費電力を増大させる一因となっている。
【先行技術文献】
【非特許文献】
【０００４】
【非特許文献１】IETF RFC5086,“Structure-Aware Time Division Multiplexed (TDM) Circuit Emulation Service over Packet Switched Network (CESoPSN)”、[online]、[平成２３年２月１４日検索］、インターネット＜URL:http://www.ietf.org/rfc/rfc5086.txt＞
【非特許文献２】IETF RFC4842,“Synchronous Optical Network/Synchronous Digital Hierarchy (SONET/SDH) Circuit Emulation over Packet (CEP)”、[online]、[平成２３年２月１４日検索］、インターネット＜URL:http://www.ietf.org/rfc/rfc4842.txt＞
【０００５】
そのため、上記の技術において、信号をＴＤＭで伝送するＴＤＭ区間において回線に異常が生じた場合、ＴＤＭ信号をもとに生成したＣＥＰパケット内の特定のビットを操作して、パケット交換網経由で対のパケット化装置へＴＤＭ区間に置いて異常が生じた旨を伝送するとともに、ＣＥＰパケット内の主信号領域(payload)を省略することが提案されている。
【発明の概要】
【発明が解決しようとする課題】
【０００６】
ＣＥＰパケット内の主信号領域を省略することは、パケット交換網の実行帯域を低減し、伝送システムの消費電力を低減することに資することになり、ひいては地球環境への貢献となる。これに関し、例えばＴＤＭ区間の異常の他にもＣＥＰパケットの帯域を低減する契機が考えられる。また、ＣＥＰパケット内の主信号領域を省略しても、ＣＥＰパケット自体はＴＤＭ区間が正常の場合と同じ周期で伝送されるため、その間のＣＥＰパケットのオーバーヘッドは引き続き実効帯域として残る。このように、伝送システムの消費電力を低減する技術には改良の余地があると考えられる。
【０００７】
本発明はこうした課題に鑑みてなされたものであり、その目的は、伝送システムの消費電力を低減する技術を提供することである。
【課題を解決するための手段】
【０００８】
上記課題を解決するために、本発明のある態様はＣＥＰパケット送信装置である。この装置は、ＴＤＭ（Time Division Multiplexing）回線を通じて顧客装置から送信されたＴＤＭ信号をＣＥＰ（Circuit Emulation over Packet）パケットに変換して受信装置に送信するＣＥＰパケット送信装置であって、ＴＤＭ信号を取得するＴＤＭ終端部と、前記ＴＤＭ終端部が取得したＴＤＭ信号をもとに、ＣＥＰパケットを生成するＣＥＰパケット生成部と、前記ＴＤＭ終端部が取得したＴＤＭ信号を解析して、前記ＣＥＰパケット生成部がパケット信号を生成するか否かを制御するＣＥＰ化制御部とを含む。ここで前記ＣＥＰ化制御部は、前記ＣＥＰパケット生成部にパケット信号の生成を停止させる場合、パケット信号の生成停止を前記受信装置に通知するための制御用ＣＥＰパケットを前記ＣＥＰパケット生成部に生成させる。
【０００９】
この態様によると、顧客装置が使用されていない間はＣＥＰパケットが生成されず、したがってＣＥＰパケット交換網にＣＥＰパケットが送信されないので、伝送システムの消費電力を低減することができる。
【００１０】
前記ＣＥＰ化制御部は、前記ＴＤＭ終端部が取得したＴＤＭ信号のフレームフォーマットの中に前記顧客装置が使用されていないことを示す信号を検出した場合、前記ＣＥＰパケット生成部に前記顧客装置が使用されていないことを示すフラグを含む制御用ＣＥＰパケットを生成させた後にＣＥＰパケットの生成を停止させ、前記ＴＤＭ終端部が取得したＴＤＭ信号のフレームフォーマットの中に前記顧客装置が使用されていないことを示す信号が検出されなくなった場合、前記ＣＥＰパケット生成部にＣＥＰパケットの生成を再開させてもよい。
【００１１】
前記ＣＥＰ化制御部は、前記ＴＤＭ終端部が取得したＴＤＭ信号の主信号の極性が所定の時間変動しないことを検出した場合、前記ＣＥＰパケット生成部にＴＤＭ信号の主信号の極性が変化していないことを示すフラグとその信号の極性を示すフラグとを含む制御用ＣＥＰパケットを生成させた後にＣＥＰパケットの生成を停止させ、前記ＴＤＭ終端部が取得したＴＤＭ信号の主信号の極性が変動を開始した場合、前記ＣＥＰパケット生成部にＣＥＰパケットの生成を再開させてもよい。
【００１２】
本発明の別の態様は、ＣＥＰパケット受信装置である。この装置は、ＴＤＭ信号をもとに生成されたＣＥＰパケットを取得してＴＤＭ信号に変換するＣＥＰパケット受信装置であって、ＣＥＰパケットを取得するパケット終端部と、前記パケット終端部が取得したＣＥＰパケットをもとに、ＴＤＭ信号を生成するＴＤＭ信号生成部と、前記パケット終端部が取得したＣＥＰパケットを解析して、前記ＴＤＭ信号生成部を制御するＴＤＭ化制御部とを含む。ここで前記ＴＤＭ化制御部は、前記パケット終端部が取得したＣＥＰパケットが、ＣＥＰパケットの送信が停止することを通知する制御用ＣＥＰパケットの場合、前記ＴＤＭ信号生成部に所定のＴＤＭ信号を生成させる。
【００１３】
この態様によると、送信装置からのＣＥＰパケットの送信が停止したとしても、ＴＤＭ信号を途切れることなく送信し続ける。これにより、ＣＥＰパケット受信装置に接続される顧客装置の運用を変更せずに、伝送システムの消費電力を低減することができる。
【００１４】
前記ＴＤＭ化制御部は、前記パケット終端部が取得したＣＥＰパケットが、顧客装置が使用されていないことを示すフラグを含む制御用ＣＥＰパケットであることを検出した場合、前記ＴＤＭ信号生成部に所定の極性を持つＴＤＭ信号を生成させ、前記パケット終端部が取得したＣＥＰパケットが制御用ＣＥＰパケットでなくなったことを検出した場合、前記ＴＤＭ信号生成部に前記パケット終端部が取得したＣＥＰパケットをＴＤＭ信号に変換させてもよい。
【００１５】
前記ＴＤＭ化制御部は、前記パケット終端部が取得したＣＥＰパケットが、ＴＤＭ信号の主信号の極性が変化していないことを示すフラグとその信号の極性を示すフラグとを含む制御用ＣＥＰパケットであることを検出した場合、前記ＴＤＭ信号生成部に取得した制御用ＣＥＰパケットに含まれるフラグの極性と同じ極性を持つＴＤＭ信号を生成させ、前記パケット終端部が取得したＣＥＰパケットが制御用ＣＥＰパケットでなくなったことを検出した場合、前記ＴＤＭ信号生成部に前記パケット終端部が取得したＣＥＰパケットをＴＤＭ信号に変換させてもよい。
【００１６】
本発明の別の態様は、伝送システムである。このシステムは、ＴＤＭ回線を通じて顧客装置から取得したＴＤＭ信号をもとにＣＥＰパケットを生成して送信するＣＥＰパケット送信装置と、前記ＣＥＰパケット送信装置から取得したＣＥＰパケットをもとにＴＤＭ信号を生成するＣＥＰパケット受信装置とを含む。ここで前記ＣＥＰパケット送信装置は、取得したＴＤＭ信号をもとにＣＥＰパケットを生成するＣＥＰパケット生成部と、取得したＴＤＭ信号を解析して、前記ＣＥＰパケット受信装置にＣＥＰパケットの送信を停止するか否かを決定するとともに、前記ＣＥＰパケット受信装置にＣＥＰパケットの送信を停止する場合、前記ＣＥＰパケット受信装置にパケット信号の生成が停止することを通知するための制御用ＣＥＰパケットを前記ＣＥＰパケット生成部に生成させるＣＥＰ化制御部とを含む。また前記ＣＥＰパケット受信装置は、前記ＣＥＰパケット送信装置から取得したＣＥＰパケットをもとにＴＤＭ信号を生成するＴＤＭ信号生成部と、前記ＣＥＰパケット送信装置から取得したＣＥＰパケットが、ＣＥＰパケットの送信が停止することを通知する制御用ＣＥＰパケットの場合、前記ＴＤＭ信号生成部に所定のＴＤＭ信号を生成させる。
【００１７】
この態様によると、顧客装置が使用されていない間ＣＥＰパケットが生成されず、したがってＣＥＰパケット交換網にＣＥＰパケットが送信されないので、伝送システムの消費電力を低減することができるとともに、送信装置からのＣＥＰパケットの送信が停止したとしても、ＴＤＭ信号を途切れることなく送信し続けため、ＣＥＰパケット受信装置に接続される顧客装置の運用を変更しなくて済む点で効果がある。
【００１８】
前記ＣＥＰ化制御部は、取得したＴＤＭ信号のフレームフォーマットの中に前記顧客装置が使用されていないことを示す信号を検出した場合、前記ＣＥＰパケット生成部に前記顧客装置が使用されていないことを示すフラグを含む制御用ＣＥＰパケットを生成させた後にＣＥＰパケットの生成を停止させ、取得したＴＤＭ信号のフレームフォーマットの中に前記顧客装置が使用されていないことを示す信号が検出されなくなった場合、前記ＣＥＰパケット生成部にＣＥＰパケットの生成を再開させてもよく、前記ＴＤＭ化制御部は、取得したＣＥＰパケットが、顧客装置が使用されていないことを示すフラグを含む制御用ＣＥＰパケットであることを検出した場合、前記ＴＤＭ信号生成部に所定の極性を持つＴＤＭ信号を生成させ、取得したＣＥＰパケットが制御用ＣＥＰパケットでなくなったことを検出した場合、前記ＴＤＭ信号生成部に取得したＣＥＰパケットをＴＤＭ信号に変換させるてもよい。
【００１９】
前記ＣＥＰ化制御部は、取得したＴＤＭ信号の主信号の極性が所定の時間変動しないことを検出した場合、前記ＣＥＰパケット生成部にＴＤＭ信号の主信号の極性が変化していないことを示すフラグとその信号の極性を示すフラグとを含む制御用ＣＥＰパケットを生成させた後にＣＥＰパケットの生成を停止させ、取得したＴＤＭ信号の主信号の極性が変動を開始した場合、前記ＣＥＰパケット生成部にＣＥＰパケットの生成を再開させてもよく、前記ＴＤＭ化制御部は、取得したＣＥＰパケットが、ＴＤＭ信号の主信号の極性が変化していないことを示すフラグとその信号の極性を示すフラグとを含む制御用ＣＥＰパケットであることを検出した場合、取得した制御用ＣＥＰパケットに含まれるフラグの極性と同じ極性を持つＴＤＭ信号を前記ＴＤＭ信号生成部に生成させ、取得したＣＥＰパケットが制御用ＣＥＰパケットでなくなったことを検出した場合、前記ＴＤＭ信号生成部に取得したＣＥＰパケットをＴＤＭ信号に変換させてもよい。
【００２０】
なお、以上の構成要素の任意の組み合わせ、本発明の表現を装置、方法、システム、プログラム、プログラムを格納した記録媒体などの間で変換したものもまた、本発明の態様として有効である。
【発明の効果】
【００２１】
本発明によれば、伝送システムの消費電力を低減する技術を提供することができる。
【図面の簡単な説明】
【００２２】
【図１】伝送システムの概観を模式的に示す図である。
【図２】従来技術に係る第１通信事業者装置と第２通信事業者装置との内部構成を模式的に示す図である。
【図３】ＴＤＭ回線に異常が生じてから復旧するまでの間のＴＤＭ信号と対応するパケット信号との状態を例示する図である。
【図４】実施の形態に係る第１通信事業者装置と第２通信事業者装置との内部構成を模式的に示す図である。
【図５】ＴＤＭ信号のフレームフォーマットの例を示す図である。
【図６】第１顧客装置が使用されなくなってから再度使用されるまで間のＴＤＭ信号と対応するパケット信号との状態を例示する図である。
【図７】実施の形態に係る第１通信事業者装置の処理の流れを示すフローチャートである。
【図８】実施の形態に係る第２通信事業者装置の処理の流れを示すフローチャートである。
【図９】第１顧客装置から送信されるＴＤＭ信号の極性が変動しなくなってから再度変動するまで間のＴＤＭ信号と対応するパケット信号との状態を例示する図である。
【発明を実施するための形態】
【００２３】
図１は、伝送システム６００の概観を模式的に示す図である。伝送システム６００は、第１顧客装置１００、第１通信事業者装置２００、パケット交換網３００、第２通信事業者装置４００、および第２顧客装置５００を含む。
【００２４】
伝送システム６００において、第１顧客装置１００と第１通信事業者装置２００との間はＴＤＭ回線で結ばれている。第１通信事業者装置２００は、第１顧客装置１００からＴＤＭ信号を取得すると、受け取ったＴＤＭ信号からデータを抽出してＣＥＰ化し、ＣＥＰパケットを生成する。第１通信事業者装置２００は、生成したＣＥＰパケットを、パケット交換網３００を介して第２通信事業者装置４００に送信する。
【００２５】
第２通信事業者装置４００は、パケット交換網３００を介して第１通信事業者装置２００からＣＥＰパケットを取得する。第２通信事業者装置４００は、取得したＣＥＰパケットをもとに、ＴＤＭ信号を生成する。第２通信事業者装置４００は次いで、生成したＴＤＭ信号をＴＤＭ回線を通じて第２顧客装置５００に伝送する。このため、第２通信事業者装置４００と第２顧客装置５００との間はＴＤＭ回線で結ばれている。
【００２６】
このように、第１顧客装置１００および第２顧客装置５００が従来型のＴＤＭ回線を利用する装置であっても、第１通信事業者装置２００および第２通信事業者装置４００がＴＤＭ信号を中継してＣＥＰ化することで、第１通信事業者装置２００と第２通信事業者装置４００との間はパケット交換網３００を利用することが可能となる。この意味で、第１通信事業者装置２００はＣＥＰパケット送信装置として機能し、第２通信事業者装置４００はＣＥＰパケット受信装置として機能する。
【００２７】
図２は、従来技術に係る第１通信事業者装置２００と第２通信事業者装置４００との内部構成を模式的に示す図である。
【００２８】
第１通信事業者装置２００は、ＴＤＭ回線異常検出部２１０、ＴＤＭ終端部２１２、およびＣＥＰパケット生成部２１４を含む。また、第２通信事業者装置４００は、フラグ検出部４１０、パケット終端部４１２、およびＴＤＭ信号生成部４１４を含む。
【００２９】
第１通信事業者装置２００内のＴＤＭ終端部２１２は、ＴＤＭ回線を通じて第１顧客装置１００から送信されるＴＤＭ信号を取得する。ＣＥＰパケット生成部２１４は、ＴＤＭ終端部２１２が取得したＴＤＭ信号をもとに、パケット交換網３００を介して第２通信事業者装置４００に送信するためのＣＥＰパケットを生成する。
【００３０】
第２通信事業者装置４００内のパケット終端部４１２は、パケット交換網３００を介して第１通信事業者装置２００内のＣＥＰパケット生成部２１４から送信されたＣＥＰパケットを取得する。ＴＤＭ信号生成部４１４は、パケット終端部４１２が取得したＣＥＰパケットからデータを抽出して、第２顧客装置５００に送信するためのＴＤＭ信号を生成する。
【００３１】
ここで、パケット交換網３００を用いて信号を伝送する場合、信号の伝送方式上の理由から、同じデータ量を既存のＴＤＭ回線を介して伝送する場合と比較して、高いビットレートで動作する必要がある。これは、パケット交換網３００を構成する装置の消費電力を増大させる一因となっている。このため、例えばＲＦＣ（Request for Comments）５０８６において、顧客装置と通信事業者装置間との間のＴＤＭ回線に異常が生じた場合、ＣＥＰパケット内の主信号領域を省略する方法が開示されている。また、ＲＦＣ３９８５には、ＴＤＭ信号の極性が全て１であることを検出した場合、そのＴＤＭ信号を伝送しているＴＤＭ回線を異常であるとして検出することが開示されている。
【００３２】
そこで第１通信事業者装置２００内のＴＤＭ回線異常検出部２１０は、ＴＤＭ終端部２１２が取得したＴＤＭ信号を解析して信号の極性が全て１であることを検出した場合、ＣＥＰパケット生成部２１４に、主信号領域を省略したＣＥＰパケットを生成させる。ここでＣＥＰパケット生成部２１４は、主信号領域を省略したＣＥＰパケット中の所定の管理ビットに、主信号領域が省略されていることを示すフラグを立てる。
【００３３】
第２通信事業者装置４００内のフラグ検出部４１０は、パケット終端部４１２が取得したＣＥＰパケット中の管理ビットに主信号領域が省略されていることを示すフラグが立てられているか否かを検出する。主信号領域が省略されている旨のフラグが立てられている場合、ＴＤＭ信号生成部４１４は、所定のＴＤＭ信号を生成して第２顧客装置５００に送信する。
【００３４】
ここで「所定のＴＤＭ信号」とは、何らかの理由でＣＥＰパケット中に主信号に相当するデータが存在しない場合に生成する仮のＴＤＭ信号であり、例えば主信号の極性が全て１のＴＤＭ信号である。
【００３５】
図３は、ＴＤＭ回線に異常が生じてから復旧するまでの間のＴＤＭ信号と対応するパケット信号との状態を例示する図である。図３において、Ｔ０はＴＤＭ回線に異常が生じた時刻を表し、Ｔ１はＴＤＭ回線に生じた異常が復旧した時刻を表す。
【００３６】
時刻Ｔ０において、ＴＤＭ回線異常検出部２１０はＴＤＭ回線の異常を検出する。時刻Ｔ０以降、ＣＥＰパケット生成部２１４は、主信号領域を省略したＣＥＰパケットを生成する。主信号領域を省略したＣＥＰパケットは、主信号領域を省略していないＣＥＰパケットと比較して、データ量が小さい。このため、パケット交換網３００の帯域を低減することが可能となる。
【００３７】
その後時刻Ｔ１において、ＴＤＭ回線異常検出部２１０はＴＤＭ回線が復旧したことを検出する。時刻Ｔ１以降、ＣＥＰパケット生成部２１４は、主信号領域を含むＣＥＰパケットを生成する。
【００３８】
このように、ＴＤＭ回線に異常が生じている時刻Ｔ０から時刻Ｔ１までの間はデータ量の小さいパケットを送信することになるが、依然としてパケットを送信することには変わりはない。前述したように、パケット交換網３００を用いて信号を伝送する場合、信号の伝送方式上の理由から、同じデータ量を既存のＴＤＭ回線を介して伝送する場合と比較して、高いビットレートで動作する必要がある。このため、パケット交換網３００にパケットを送信する限り、パケット交換網３００を構成する装置の消費電力を増大させることになる。
【００３９】
そこで本発明の実施の形態に係る第１通信事業者装置２００は、取得したＴＤＭ信号を解析し、第２通信事業者装置４００にＣＥＰパケットを送信する必要があるか否かを判断する。ＣＥＰパケットを送信する必要がないと判断した場合、第１通信事業者装置２００はＣＥＰパケットの生成および送信を停止する。
【００４０】
図４は、実施の形態に係る第１通信事業者装置２００と第２通信事業者装置４００との内部構成を模式的に示す図である。以下、従来技術に係る第１通信事業者装置２００または第２通信事業者装置４００と重複する部分は、適宜省略または簡略化して説明する。
【００４１】
図４は、実施の形態に係る第１通信事業者装置２００と第２通信事業者装置４００とを実現するための機能構成を示しており、その他の構成は省略している。図４において、さまざまな処理を行う機能ブロックとして記載される各要素は、ハードウェア的には、ＣＰＵ（Central Processing Unit）、メインメモリ、その他のＬＳＩ（Large Scale Integration）で構成することができ、ソフトウェア的には、メインメモリにロードされたプログラムなどによって実現される。したがって、これらの機能ブロックがハードウェアのみ、ソフトウェアのみ、またはそれらの組み合わせによっていろいろな形で実現できることは当業者には理解されるところであり、いずれかに限定されるものではない。
【００４２】
実施の形態に係る第１通信事業者装置２００は、ＴＤＭ終端部２１２、ＣＥＰパケット生成部２１４、およびＣＥＰ化制御部２１６を含む。ＣＥＰ化制御部２１６は、ＴＤＭ終端部２１２が取得したＴＤＭ信号を解析して、ＣＥＰパケット生成部２１４がパケット信号を生成するか否かを制御する。ＣＥＰ化制御部２１６は、ＣＥＰパケット生成部２１４にパケット信号の生成を停止させる場合、パケット信号の生成が停止することを第２通信事業者装置４００に通知するための制御用ＣＥＰパケットをＣＥＰパケット生成部２１４に生成させて送信させた後、パケット信号の生成を停止させる。
【００４３】
より具体的には、ＣＥＰ化制御部２１６は、ＴＤＭ終端部２１２が取得したＴＤＭ信号のフレームフォーマットを解析する。その結果、フレームフォーマット中に、第１顧客装置１００が使用されていないことを示す信号を検出した場合、ＣＥＰパケット生成部２１４に第１顧客装置１００が使用されていないことを示すフラグを含む制御用のＣＥＰパケットを生成させて、その制御用ＣＥＰパケットをパケット交換網３００を介して第２通信事業者装置４００に送信させる。
【００４４】
続いてＣＥＰ化制御部２１６は、ＣＥＰパケット生成部２１４がパケットを生成することを停止させる。この結果、ＣＥＰパケット生成部２１４から第２通信事業者装置４００へのＣＥＰパケットの送信も停止する。ＣＥＰパケット生成部２１４がパケットを生成することを停止している間、ＣＥＰ化制御部２１６は、ＴＤＭ終端部２１２が取得したＴＤＭ信号のフレームフォーマットの解析を継続する。ＴＤＭ終端部２１２が取得したＴＤＭ信号のフレームフォーマット中に第１顧客装置１００が使用されていないことを示す信号が検出されなくなると、ＣＥＰ化制御部２１６は、ＣＥＰパケット生成部２１４にＣＥＰパケットの生成を再開させる。
【００４５】
図５は、ＴＤＭ信号のフレームフォーマットの例を示す図である。図５に示すように、ＴＤＭ信号は１フレームあたり７８９ｂｉｔのデータで構成され、１フレームあたり１２５マイクロ秒で伝送される。７８９ビットのうち、前半の７６８ｂｉｔは主信号であり、続く２１ｂｉｔが通信事業者が用いる管理用の信号である。
【００４６】
管理用の信号のうち最初の１６ｂｉｔが管理に用いる信号ＳＴであり、最後の５ｂｉｔがＴＤＭ信号の同期をとるために用いられる同期信号Ｆである。同期信号Ｆは５ｂｉｔであるが、連続する４フレーム中の同期信号Ｆは、それぞれ異なる情報が伝達される。すなわち、同期信号Ｆは４フレームが１単位として扱われる。
【００４７】
同期信号Ｆの中には、ＴＤＭ信号を伝送する顧客装置が使用されているか否かを示すビットである「Ｒ−ＩＮＨ」が存在する。Ｒ−ＩＮＨは、顧客装置が正常に使用されているときは０の値を取る。また、ユーザが顧客装置の電源を落とす等の何らかの理由で顧客装置が使用されなくなると、ＴＤＭ信号を伝送する顧客装置は所定の時間、Ｒ−ＩＮＨの値は１となる。
【００４８】
ＣＥＰ化制御部２１６は、ＴＤＭ終端部２１２が取得したＴＤＭ信号のフレームフォーマット中のＲ−ＩＮＨを監視し、Ｒ−ＩＮＨが所定の時間１となった場合、第１顧客装置１００が使用されていないと判断する。
【００４９】
図６は、第１顧客装置１００が使用されなくなってから再度使用されるまで間のＴＤＭ信号と対応するパケット信号との状態を例示する図である。図６において、Ｔ０は第１顧客装置１００が使用されなくなった時刻を表し、Ｔ１は第１顧客装置１００が再度使用された時刻を表す。
【００５０】
時刻Ｔ０において、ＣＥＰ化制御部２１６は、第１顧客装置１００が使用されていないことを検出する。第１顧客装置１００が使用されていないことを検出すると、ＣＥＰ化制御部２１６は、第１顧客装置１００が使用されていないことを示すフラグを含む制御用ＣＥＰパケットをＣＥＰパケット生成部２１４に生成させ、その後ＣＥＰパケットの生成を停止させる。
【００５１】
その後時刻Ｔ１において第１顧客装置１００が再度使用されたことを検出するまで、ＣＥＰパケット生成部２１４はＣＥＰパケットの生成を停止する。このため、時刻Ｔ０から時刻Ｔ１までの間は、制御用ＣＥＰパケットを除いてパケット交換網３００にはＣＥＰパケットが伝送されない。これにより、従来技術に係る第１通信事業者装置２００と比較して、パケット交換網３００の実行帯域および伝送システムの消費電力さらなる低減が可能となる。
【００５２】
図４の説明に戻る。実施の形態に係る第２通信事業者装置４００は、パケット終端部４１２、ＴＤＭ信号生成部４１４、およびＴＤＭ化制御部４１６をさらに含む。ＴＤＭ化制御部４１６は、パケット終端部４１２が取得したＣＥＰパケットを解析して、ＴＤＭ信号生成部４１４が生成するＴＤＭ信号を制御する。ＴＤＭ化制御部４１６は、パケット終端部４１２が取得したＣＥＰパケットが、ＣＥＰパケットの送信が停止することを通知する制御用ＣＥＰパケットの場合、ＴＤＭ信号生成部４１４に所定のＴＤＭ信号を生成させる。
【００５３】
より具体的に、ＴＤＭ化制御部４１６は、パケット終端部４１２が取得したＣＥＰパケットを解析して、第１顧客装置１００が使用されていないことを示すフラグを含む制御用ＣＥＰパケットであるか否かを調べる。その結果、制御用ＣＥＰパケットであることを検出した場合、ＴＤＭ化制御部４１６は第１通信事業者装置２００からのＣＥＰパケットの送信が停止すると判断し、ＴＤＭ信号生成部４１４に所定の極性を持つＴＤＭ信号を生成させる。ＴＤＭ化制御部４１６はＣＥＰパケットの解析を継続し、その後ＣＥＰパケットが制御用ＣＥＰパケットでなくなったことを検出した場合、ＴＤＭ信号生成部４１４にパケット終端部が取得したＣＥＰパケットをＴＤＭ信号に変換させる。
【００５４】
第１通信事業者装置２００がＣＥＰパケットの送信を停止したとしても、ＴＤＭ信号生成部４１４は第２顧客装置５００に対するＴＤＭ信号の送信を継続する。これにより、第２顧客装置５００は、ＣＥＰパケットの送信を停止中においても通常どおりの運用を継続することが可能となる。
【００５５】
図７は、実施の形態に係る第１通信事業者装置２００の処理の流れを示すフローチャートである。本フローチャートにおける処理は、第１通信事業者装置２００の電源が投入されたときに開始する。
【００５６】
ＴＤＭ終端部２１２は、ＴＤＭ回線を通じて第１顧客装置１００から送信されたＴＤＭ信号を受信する（Ｓ１０）。ＣＥＰ化制御部２１６は、ＴＤＭ終端部２１２が受信したＴＤＭ信号を解析して、ＣＥＰパケット生成部２１４がＣＥＰパケットの生成を停止する条件を確認する（Ｓ１２）。確認の結果、ＣＥＰパケット生成部２１４によるＣＥＰパケットの生成を停止すべきと判断した場合（Ｓ１４のＹ）、ＣＥＰ化制御部２１６は、ＣＥＰパケット生成部２１４にＣＥＰパケットの送信を停止することを示すフラグを含む制御用ＣＥＰパケットを生成させ、第２通信事業者装置４００に送信させる（Ｓ１６）。
【００５７】
制御用ＣＥＰパケットの送信後、ＣＥＰ化制御部２１６はＣＥＰパケット生成部２１４にＣＥＰパケットの生成を停止させる（Ｓ１８）。ＣＥＰ化制御部２１６は、ＴＤＭ終端部２１２が取得したＴＤＭ信号を解析し、ＣＥＰパケット生成部２１４がＣＥＰパケットの生成を停止する条件を満たすか否かを確認する（Ｓ２０）。ＣＥＰパケットの生成を停止する条件を満たし、依然としてＣＥＰパケット生成部２１４がＣＥＰパケットの生成を開始すべきでない場合（Ｓ２２のＮ）、ステップＳ２０に戻ってＴＤＭ信号の解析を継続する。
【００５８】
ＣＥＰパケットの生成を停止する条件を満足せず、ＣＥＰパケット生成部２１４がＣＥＰパケットの生成を開始すべきとなった場合（Ｓ２２のＹ）、ＣＥＰ化制御部２１６は、取得したＴＤＭ信号からデータを抽出してＣＥＰパケットを生成することをＣＥＰパケット生成部２１４に実行させる（Ｓ２４）。ＣＥＰパケット生成部２１４は、生成したＣＥＰパケットをパケット交換網３００を介して第２通信事業者装置４００に送信する（Ｓ２６）。
【００５９】
ＣＥＰパケット生成部２１４によるＣＥＰパケットの生成を停止すべきではない場合（Ｓ１４のＮ）、ＣＥＰパケット生成部２１４は、ＣＥＰパケットを生成して第２通信事業者装置４００に送信する。以上のステップＳ１０からステップＳ２６を繰り返すことにより、第１通信事業者装置２００は、第１顧客装置１００から取得したＴＤＭ信号をＣＥＰ化して第２通信事業者装置４００に送信する。
【００６０】
図８は、実施の形態に係る第２通信事業者装置４００の処理の流れを示すフローチャートである。本フローチャートにおける処理は、第２通信事業者装置４００の電源が投入されたときに開始する。
【００６１】
パケット終端部４１２は、パケット交換網３００を介して第１通信事業者装置２００から送信されたＣＥＰパケットを受信する（Ｓ２８）。ＴＤＭ化制御部４１６は、パケット終端部４１２が受信したパケットを解析して、ＣＥＰパケットの種類が通常のＣＥＰパケットか制御用ＣＥＰパケットかを確認する（Ｓ３０）。パケットの種類が制御用ＣＥＰパケットの場合（Ｓ３２の制御用パケット）、ＴＤＭ化制御部４１６は、ＴＤＭ信号生成部４１４に、所定のＴＤＭ信号を第２顧客装置５００に送信させる（Ｓ３４）。
【００６２】
ＴＤＭ化制御部４１６は、パケット終端部４１２が新たなＣＥＰパケットを受信するのを待機する。パケット終端部４１２が新たなＣＥＰパケットを受信しない間（Ｓ３６のＮ）、ステップＳ３４におけるＴＤＭ信号生成部４１４は所定のＴＤＭ信号を第２顧客装置５００に送信することを継続する。パケット終端部４１２が新たなＣＥＰパケットを受信した場合（Ｓ３６のＹ）、ＴＤＭ化制御部４１６は、ＴＤＭ信号生成部４１４に受信したＣＥＰパケットをもとにＴＤＭ信号を生成させる（Ｓ３８）。その後、ＴＤＭ信号生成部４１４は、生成したＴＤＭ信号を第２顧客装置５００に送信する（Ｓ４０）。
【００６３】
パケット終端部４１２が受信するＣＥＰパケットが通常のＣＥＰパケットである場合（Ｓ３２の通常パケット）、ＴＤＭ信号生成部４１４は、ＴＤＭ信号を生成して第２顧客装置５００に送信する。以上のステップＳ２８からステップＳ４０を繰り返すことにより、第２通信事業者装置４００は、第１通信事業者装置２００から取得したＣＥＰパケットをＴＤＭ信号に変換して第２顧客装置５００に送信する。
【００６４】
以上の構成による動作は以下のとおりである。実施の形態に係る第１通信事業者装置２００は、第１顧客装置１００から取得したＴＤＭ信号を解析して、第１顧客装置１００が使用されているか否かを確認する。第１顧客装置１００が使用されていないことが確認された場合、第１通信事業者装置２００は、その旨を通知する制御用ＣＥＰパケットを第２通信事業者装置４００に送信した後、ＣＥＰパケットの送信を停止する。
【００６５】
第２通信事業者装置４００は、第１通信事業者装置２００から送信された、第１顧客装置１００が使用されていないことを示す制御用ＣＥＰパケットを受信すると、次に第１通信事業者装置２００からＣＥＰパケットが送信されるまで、所定のＴＤＭ信号を第２顧客装置５００に送信する。
【００６６】
以上のように、実施の形態に係る第１通信事業者装置２００および第２通信事業者装置４００は、第１顧客装置１００が使用されていない間にパケット交換網３００へのＣＥＰパケットの送信を停止することにより、伝送システム６００の消費電力を低減することができる。
【００６７】
以上、本発明を実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。
【００６８】
上記の説明では、第１顧客装置１００が使用されないことを契機としてＣＥＰパケットの送信を停止する場合について説明したが、ＣＥＰパケットの送信を停止する契機はこれに限られない。以下変形例として、ＣＥＰパケットの送信を停止する別の契機について説明する。
【００６９】
変形例の概要を述べる。変形例に係る第１通信事業者装置２００は、ＴＤＭ終端部２１２が受信したＴＤＭ信号の極性が所定の時間変化しない定常的な信号である場合、その旨およびそのときの極性を第２通信事業者装置４００に通知した後にＣＥＰパケットの送信を停止する。ＴＤＭ信号が定常的な信号であれば、信号そのものを送らなくても受信側で信号を容易に再現できるからである。
【００７０】
変形例に係るＣＥＰ化制御部２１６は、ＴＤＭ終端部２１２が取得したＴＤＭ信号の主信号の極性が所定の時間変動しないことを検出した場合、ＣＥＰパケット生成部２１４にＴＤＭ信号の主信号の極性が変化していないことを示すフラグとその信号の極性を示すフラグとを含む制御用ＣＥＰパケットを生成させる。続いてＣＥＰ化制御部２１６は、ＣＥＰパケット生成部２１４に、生成したＣＥＰパケットをパケット交換網３００を介して第２通信事業者装置４００に送信させるとともに、ＣＥＰパケットの生成を停止させる。
【００７１】
ここでＴＤＭ信号の主信号の極性が所定の時間変動しない場合とは、信号の極性が所定の時間０のまま変動しない場合や、信号の極性が１のまま変動しない場合が考えられる。ＣＥＰ化制御部２１６は、信号値の差分を監視することで、極性の変動を監視できる。ＣＥＰ化制御部２１６は、ＴＤＭ終端部２１２が受信したＴＤＭ信号の極性の変動を継続して監視し、ＴＤＭ信号の極性が変動を開始した場合、ＣＥＰ化制御部２１６は、ＣＥＰパケット生成部２１４にＣＥＰパケットの生成を再開させる。
【００７２】
図９は、第１顧客装置１００から送信されるＴＤＭ信号の極性が変動しなくなってから再度変動するまで間のＴＤＭ信号と対応するパケット信号との状態を例示する図である。図９において、Ｔ０は第１顧客装置１００から送信されるＴＤＭ信号の極性が変動しなくなった時刻を表し、Ｔ１は第１顧客装置１００から送信されるＴＤＭ信号の極性が再度変動した時刻を表す。
【００７３】
時刻Ｔ０において、ＣＥＰ化制御部２１６は、第１顧客装置１００から送信されたＴＤＭ信号の極性が変動しなくなったことを検出する。第１顧客装置１００から送信されたＴＤＭ信号の極性が変動しなくなったことを検出すると、ＣＥＰ化制御部２１６は、ＣＥＰパケット生成部２１４にＴＤＭ信号の主信号の極性が変化していないことを示すフラグとその信号の極性を示すフラグとを含む制御用ＣＥＰパケットを生成させ、その後ＣＥＰパケットの生成を停止させる。
【００７４】
その後時刻Ｔ１においてＴＤＭ信号の極性が変動を開始したことを検出するまで、ＣＥＰパケット生成部２１４はＣＥＰパケットの生成を停止する。このため、時刻Ｔ０から時刻Ｔ１までの間は、制御用ＣＥＰパケットを除いてパケット交換網３００にはＣＥＰパケットが伝送されない。これにより、従来技術に係る第１通信事業者装置２００と比較して、パケット交換網３００の実行帯域および伝送システムの消費電力さらなる低減が可能となる。
【００７５】
変形例に係る第２通信事業者装置４００内のＴＤＭ化制御部４１６は、パケット終端部４１２が取得したＣＥＰパケットを解析して、そのＣＥＰパケットが制御用ＣＥＰパケットか、通常のＣＥＰパケットかを調べる。その結果、制御用ＣＥＰパケットであることを検出した場合、ＴＤＭ化制御部４１６は第１通信事業者装置２００からのＣＥＰパケットの送信が停止すると判断し、ＴＤＭ信号生成部４１４に、制御用ＣＥＰパケットが示す極性を持つＴＤＭ信号を生成させる。ＴＤＭ化制御部４１６はＣＥＰパケットの解析を継続し、その後ＣＥＰパケットが制御用ＣＥＰパケットでなくなったことを検出した場合、ＴＤＭ信号生成部４１４にパケット終端部が取得したＣＥＰパケットをＴＤＭ信号に変換させる。
【００７６】
第１通信事業者装置２００がＣＥＰパケットの送信を停止したとしても、ＴＤＭ信号生成部４１４は第２顧客装置５００に対するＴＤＭ信号の送信を継続する。ＴＤＭ終端部２１２が受信するＴＤＭ信号の極性は変動しないのであるから、第２通信事業者装置４００は、第２顧客装置５００に対して正しいＴＤＭ信号を送信することができる。
【００７７】
上述した実施の形態および変形例の任意の組み合わせもまた本発明の実施の形態として有用である。組み合わせによって生じる新たな実施の形態は、組み合わされる実施の形態および変形例それぞれの効果を合わせ持つ。
【００７８】
請求項に記載の各構成要件が果たすべき機能は、実施の形態および変形例において示された各構成要素の単体もしくはそれらの連係によって実現されることも当業者には理解されるところである。
【符号の説明】
【００７９】
１００  第１顧客装置、  ２００  第１通信事業者装置、  ２１０  ＴＤＭ回線異常検出部、  ２１２  ＴＤＭ終端部、  ２１４  ＣＥＰパケット生成部、  ２１６  ＣＥＰ化制御部、  ３００  パケット交換網、  ４００  第２通信事業者装置、  ４１０  フラグ検出部、  ４１２  パケット終端部、  ４１４  ＴＤＭ信号生成部、  ４１６  ＴＤＭ化制御部、  ５００  第２顧客装置、  ６００  伝送システム。
【図１】
2012182768.tif 000003
【図２】
2012182768.tif 000004
【図３】
2012182768.tif 000005
【図４】
2012182768.tif 000006
【図５】
2012182768.tif 000007
【図６】
2012182768.tif 000008
【図７】
2012182768.tif 000009
【図８】
2012182768.tif 000010
【図９】
2012182768.tif 000011